(57)【要約】      （修正有）【課題】電子機器等をポケットに収納することにより、重量化したズボンを確実に支えることができるサスペンダーを提供する。【解決手段】高齢化と共に健康志向の高まりから、高年者のスリム化が一般的に求められ、ズボンの重量化に、仮にサスペンダーを使用しても肩と腰（腹部のズボンのベルト）とでは支えることに無理が生じてきた。そこで、ズボンに掛かる力を、肩・背中・腰に均等化させながら配分化することを目的としたものである。即ち、主ベルトを装填し、これにズボンを吊るし、その主ベルトを、２本の副ベルトで肩・背中・腰に均等化させ、吊ると言うより、背負うサスペンダーである。【選択図】図２
0003174821.tif 000002
【実用新案登録請求の範囲】
【請求項１】
本案の構成は、主ベルト１本と副ベルト２本及びその付属品から成る。
（１）主ベルトは、幅広・止目具付・均等間隔に穴２列（又はこれ以上）を有し、（２）副ベルトは等間隔に穴１列（又はこれ以上）間隔は主ベルトと同じとし、（３）別に、主ベルト・副ベルトの穴に対応する「紐（長さ穴６個分程度）」を１０本と「ゴム紐」数本を用意し、（４）これらの使用方法は吊り下げるズボンの「バンドの支え」と主ベルトを「紐」で数箇所を固定し副ベルトの両端を主ベルトに４箇所で固定する。（５）副ベルトは、脇の下部分で１回転以上させ、また背中の部分で副ベルト２本の一部を「紐」で結合させること
から成るサスペンダー。
【考案の詳細な説明】
【技術分野】
【０００１】本考案に係る物品は、その名称が一般に「ズボン吊り・サスペンダー・ブレイスなど」との呼称があるので、外来語としての「サスペンダー（Ｓｕｓｐｅｎｄｅｒ）」を使用することとしおた。参考までに、「Ｔｈｅ  Ｅｎｇｌｉｓｈ  Ｄｕｄｅｎ（ドウデン図解英和辞典）Ｐｕｂｌｉｓｈｅｄ  Ｍａｙ  １９７１  ｍａｋｅ  ａｎｄ  ｐｕｒｉｎｎｔｅｄ  ｉｎ  Ｊａｐａｎ  ａｔ  ｔｈｅ  Ｓａｎｓｅｉｄｏ  Ｐｒｅｓｓ．Ｔｏｋｙｏ」では、Ｓａｓｐｅｎｄｅｒとｔｈｅ  Ｂｒａｃｅｓが併記されている。
【先行技術文献】
【先行技術１】
【０００２】サスペンダーを課題とした、図書館等で文献は可能な限り検索したが得られなかった。
【先行技術２】
【０００３】サスペンダー及びこれに関連する用具等について、実用新案に関し検索したところでは、大正１４年「１９２５年」頃より８２件が存在するとのことであるが、記録が得られた、昭和４７年以降の特許又は実用新案の３７件について、全て検証したところ、本考案に類似の、或いは近似の出願例は存在していない事を確認した。
【０００４】過去のサスペンダーの公開実用新案の中心的課題は、主にズボンを吊る止め具に集中しているように見受けられる。これは、逆説的には、止め具の不具合が、解決すべき課題に追い込まれた実情を具現したものと受け止められる。本考案は、「止め具」の部分は、極めて単純な構造としてある。
【先見的経験】
【０００５】上記［０００２］に述べた通りサスペンダーに関する文献は地域の拠点図所館にも見当たらないが、考案者個人の経験から，積み重なった体験を、自ら整理して、可能な限り体系化するしかないと結論した。即ち知見は、多く個人的経験から得られ、特に高齢化の体験は当人しか得られない体型と装身具との係わりを明確に具象化に役立ったと承知する。
【考案の概要】
【本考案が解決しようとする課題】
【０００６】次の課題が提起される。
（１）ズボンに収納する用具がっ重量化したこと。特に、通信機器、電子機器が小型化され、ズボンに収納されることが、多くなった。
（２）冬期の保温効果を高める為、ズボンの重ね着用（オーバーズボンの用語もある）をすることが多くなった。
（３）夏季は上着を着用しないことが多くなり、収納物がズボンに集中するようになった。
（４）夏季のズボンに対する通気性が強く求められることになった。（本考案は、この点に十分な配慮がされていることを特長とする。
（５）携帯する通貨について、各種のカードが多く利用され、結果的に財布は大型化した。
（６）上記の事情から、ズボンが極めて重量化し（例えば５００グラムを越える状態）となり、ズボンのベルト１本でこれを支えることは、身体的に無理な状態となったと見ることに、特段の誇張は無いと考える。
【課題を解決するための手段】
【０００７】本案の構成は、単純である。即ち（１）主ベルトとして、幅広（通常ベルトの約２本分・止目具付・均等間隔穴２列（又は２列以上））を用意する。
（２）別に。主ベルトの半分幅（通常ベルトの１本分・止目具無し・均等間隔穴１列（場合により２列））を２本用意する。（３）上記（１）及び（２）の穴の大きさに対応した紐（長さ穴４個分程度）１０本と別にゴム製の紐を（長さ同じ）を数本用意する。（４）吊るすズボンのバンドの支えに紐を通し、主ベルトに固定する。（５）上記（２）の言わば副ベルトの両端を主ベルトに紐で繋ぐ。この場合、脇の下手前から、又は向こうから（１又は２回回しとし、脇の下部分で、紐で固定する。（６）更に、背中の部分で、言わば副ベルトを紐で絡ませる。（７）体型に馴染まない部分のあるときは、使用者が、ゴム紐で調整をする。（８）上記主ベルト、副ベルト、紐の材質は、皮革が望ましいが、布、合成皮革、合成繊維品であっても差し支えない。
【考案の効果】
【０００８】本考案者は高齢者の部類に入る者で、ヒトが加齢と共に、体型が変化する過程を、個人感覚で承知している。また当然に医学関係者の意見を徴し、衣食住の衣についても、省エネルギーに配慮することは国民的義務と承知する。本考案品においても、たとえば、ズボンの内側に主ベルトを設置すれば高い通風効果が得られる。老いても、死ぬまで「働く老人」であることに、些かでも、貢献するものと確信している。
【本考案の欠点】
【０００９】サスペンダーは装身具である為，過去の製品をみても、ファッション性に優れた製品を多く見かけるが、本考案品は，無骨の感は免れない。
しかし、これは言わば「働く老人」を求めた結果で、そこから新しいファッシヨンが生まれることを期待している・
【図面の簡単な説明】
【００１０】
【図１】Ａ１  主ベルトの平面図である。穴の位１は横２列で、間隔は上下、左右同一である。Ａ１−１は止具。Ａ２は側面図。Ｂ１及びＣ１は副ベルトの平面図。穴の間隔は主ベルトと同一である。止め金具は無い。Ｂ２，Ｃ２は夫々側面図である。Ｄ１  Ｄ２  Ｄ３・・・は紐で、Ｅ１  Ｅ２・・はゴム製紐である。
【図２】人体に装着したときの図である。Ｆは正面、Ｇは背面である。Ｆ図においてＤ１は副ベルトと主ベルトの結び。Ｄ３はズボンのバンド押さえと主ベルトの結び。Ｄ６は脇の下部分の副ベルト同士の結び。Ｇ図においてＤ２は副ベルトと主ベルトの結び。Ｄ４はズボンのバンド押えと主ベルトの結び。Ｄ７及Ｄ８は脇の下部分の結び。Ｅ１は副ベルト同士の背中の結びを示した。なお、参考までに、標準的な寸法は、Ａ１幅７ｃｍ長さ１２０ｃｍ、ぐらい  Ａ２厚さ３ｍｍ  Ｂ１  Ｃ１長さ１７０ｃｍ幅３ｃｍである。
【図１】
0003174821.tif 000003
【図２】
0003174821.tif 000004
【手続補正書】
【提出日】平成24年1月19日(2012.1.19)
【手続補正１】
【補正対象書類名】実用新案登録請求の範囲
【補正対象項目名】全文
【補正方法】変更
【補正の内容】
【実用新案登録請求の範囲】
【請求項１】
主ベルト１本と副ベルト２本及びその付属品として紐１０本及びゴム紐６本から構成されるサスペンダーであって、（１）主ベルトは、幅広・止め具付・均等間隔に穴２列を有し（２）副ベルトは主ベルトと同じ間隔に、穴１列を開け（３）付属品の紐及びゴム紐の太さはいづれも主ベルトの穴の大きさに適合した太さで、長さは主ベルトの穴４個分即ち穴間隔で３つほどで、（４）本サスペンダーの使用方法は吊り下げるズボンの「バンド支え」と主ベルトを「紐」で数箇所を結び、副ベルトの両端を主ベルトの４箇所で「紐」で結び、（５）副ベルトは、脇の下部分で１回転以上させ、また背中の部分で副ベルト２本を「紐」または「ゴム紐」で結ぶことからなるサスペンダー。